(57)【要約】【課題】バランスウェイトを安定して上下動させることができる昇降扉構造、箱体及び局所排気装置を提供する。【解決手段】上下方向に延びる支柱３２と、上下方向に移動可能に支柱３２に支持された昇降扉６４と、昇降扉６４に接続される第１端部を有するとともに、滑車に掛け回された吊架線材と、吊架線材の第２端部が接続され、昇降扉６４との釣り合いを図る錘収容部１００及び錘１０１と、錘収容部１００の上下方向の移動を案内するガイド部と、を備え、ガイド部は、錘収容部１００に設けられたガイドローラ１３０と、支柱３２に設けられ、ガイドローラ１３０が収容されるローラガイド１５０，１５１部と、を備えている。【選択図】図２
2019166435.tif 000002
【特許請求の範囲】
【請求項１】
上下方向に延びる昇降支持部と、
前記上下方向に移動可能に前記昇降支持部に支持された昇降扉と、
前記昇降扉に接続される第１端部を有するとともに、線材支持部材に掛け回された吊架線材と、
前記吊架線材の第２端部が接続され、前記昇降扉との釣り合いを図るバランスウェイトと、
前記バランスウェイトの上下方向の移動を案内するガイド部と、を備え、
前記ガイド部は、
前記昇降支持部及び前記バランスウェイトのうち、一方の部材に設けられたガイド凸部と、
前記昇降支持部及び前記バランスウェイトのうち、他方の部材に設けられ、前記ガイド凸部が収容されるガイド凹部と、を備えている昇降扉構造。
【請求項２】
前記ガイド凸部は、
前記他方の部材に向けて突出する突出部と、
前記突出部の延在方向に交差する方向に張り出す張出部と、を有し、
前記ガイド凹部は、前記延在方向で前記張出部に係合して、前記一方の部材が前記他方の部材から離間する方向への移動を規制する係合部を有している請求項１に記載の昇降扉構造。
【請求項３】
前記ガイド凸部は、前記バランスウェイトに回転可能に設けられたガイドローラである請求項１又は請求項２に記載の昇降扉構造。
【請求項４】
前記昇降支持部は、前記バランスウェイトを収容可能な筒状に形成されている請求項１から請求項３の何れか１項に記載の昇降扉構造。
【請求項５】
前記上下方向に交差する方向のうち、前記昇降扉の延在方向に沿う方向を左右方向とすると、
前記ガイド部は、前記左右方向において前記バランスウェイトと前記昇降扉との間に配置されている請求項１から請求項４の何れか１項に記載の昇降扉構造。
【請求項６】
前記ガイド凹部は、前記上下方向に延びる溝状とされ、
前記ガイド凸部は、前記上下方向に間隔をあけて複数設けられている請求項１から請求項５の何れか１項に記載の昇降扉構造。
【請求項７】
前記上下方向に交差する方向のうち、前記昇降扉の厚さ方向を前後方向とすると、
前記ガイド凸部は、前記一方の部材に対する前記前後方向の取付位置を調整可能に前記一方の部材に取り付けられている請求項１から請求項６の何れか１項に記載の昇降扉構造。
【請求項８】
請求項１から請求項７の何れか１項に記載の昇降扉構造と、
前記昇降扉とともに内部空間を画成するとともに、前記昇降扉の移動に伴い開閉可能な開口部を有する箱部と、を備えている箱体。
【請求項９】
請求項８に記載の箱体を備えている局所排気装置。
【発明の詳細な説明】
【技術分野】
【０００１】
本発明は、昇降扉構造、箱体及び局所排気装置に関する。
【背景技術】
【０００２】
実験施設（例えば、研究所等）での理化学実験では、局所排気装置が用いられる場合がある。局所排気装置は、開口部を有する箱部と、箱部にスライド昇降可能に支持されて開口部を開閉する昇降扉と、を主に有している。
局所排気装置を使用する際は、昇降扉を所定量上昇させ、開口部の一部を開放させる。その後、箱部及び昇降扉により画成された作業空間に、開口部から手を差し入れる。これにより、作業空間での作業が可能になる。
【０００３】
上述した昇降扉は、滑車に掛け回された吊架線材（例えば、ワイヤ等）の第１端部に接続されている。吊架線材の第２端部には、バランスウェイトが接続されている。例えば下記特許文献１において、バランスウェイトは、昇降扉を支持する支柱内に上下方向に移動可能に収容されている。局所排気装置では、昇降扉とバランスウェイトとの釣り合いを取ることで、昇降扉のスムーズかつ正確な昇降操作を可能にしている。
【先行技術文献】
【特許文献】
【０００４】
【特許文献１】特許第５２４８２１５号公報
【発明の概要】
【発明が解決しようとする課題】
【０００５】
しかしながら、上述した特許文献１の構成にあっては、バランスウェイトが支柱内で吊架線材に吊り下げられただけの構成である。そのため、例えば昇降扉の昇降時において、バランスウェイトが支柱内を上下動する過程で、バランスウェイトと支柱の内面との接触による異音の発生や、バランスウェイトや支柱の破損等に繋がる可能性がある。
【０００６】
本発明は、バランスウェイトを安定して上下動させることができる昇降扉構造、箱体及び局所排気装置を提供することを目的とする。
【課題を解決するための手段】
【０００７】
上記目的を達成するために、本発明の一態様に係る昇降扉構造は、上下方向に延びる昇降支持部と、前記上下方向に移動可能に前記昇降支持部に支持された昇降扉と、前記昇降扉に接続される第１端部を有するとともに、線材支持部材に掛け回された吊架線材と、前記吊架線材の第２端部が接続され、前記昇降扉との釣り合いを図るバランスウェイトと、前記バランスウェイトの上下方向の移動を案内するガイド部と、を備え、前記ガイド部は、前記昇降支持部及び前記バランスウェイトのうち、一方の部材に設けられたガイド凸部と、前記昇降支持部及び前記バランスウェイトのうち、他方の部材に設けられ、前記ガイド凸部が収容されるガイド凹部と、を備えている。
【０００８】
本態様によれば、バランスウェイトが昇降支持部材に沿って上下動する過程において、ガイド凸部がガイド凹部内を上下動する。これにより、バランスウェイトが昇降支持部材に沿って上下動する際のバランスウェイトのふらつき等を抑制し、バランスウェイトを安定して上下動させることができる。その結果、バランスウェイトと昇降支持部材との予期しない接触を抑制し、異音の発生やバランスウェイト、昇降支持部材の損傷等を抑制できる。
【０００９】
本発明の一態様に係る昇降扉構造において、前記ガイド凸部は、前記他方の部材に向けて突出する突出部と、前記突出部の延在方向に交差する方向に張り出す張出部と、を有し、前記ガイド凹部は、前記延在方向で前記張出部に係合して、前記一方の部材が前記他方の部材から離間する方向への移動を規制する係合部を有していてもよい。
この構成によれば、張出部が係合部に係合することで、延在方向においてガイド凸部がガイド凹部から抜けるのを抑制し、一方の部材が他方の部材から離間する方向への移動を規制できる。これにより、バランスウェイトの上下動を常に安定させることができる。
【００１０】
本発明の一態様に係る昇降扉構造において、前記ガイド凸部は、前記バランスウェイトに回転可能に設けられたガイドローラであってもよい。
この構成によれば、ガイドローラがガイド凹部の内面に接触する際に、ガイドローラが回転することで、ガイドローラとローラガイドの内面との接触に伴う抵抗を軽減できる。これにより、バランスウェイトをスムーズに上下動させることができる。
【００１１】
本発明の一態様に係る昇降扉構造において、前記昇降支持部は、前記バランスウェイトを収容可能な筒状に形成されていてもよい。
この構成によれば、バランスウェイトの周囲が昇降支持部材によって取り囲まれるので、バランスウェイトが昇降扉構造の外部に露出するのを抑制できる。これにより、昇降扉構造の美観を向上させることができる。
【００１２】
本発明の一態様に係る昇降扉構造において、前記上下方向に交差する方向のうち、前記昇降扉の延在方向に沿う方向を左右方向とすると、前記ガイド部は、前記左右方向において前記バランスウェイトと前記昇降扉との間に配置されていてもよい。
この構成によれば、ガイド部がバランスウェイトに対して左右方向の内側に配置されるので、ガイド凸部とガイド凹部の内面との接触により仮に異音が発生したとしても、異音が昇降扉構造の外部に伝わるのを抑制できる。
【００１３】
本発明の一態様に係る昇降扉構造において、前記ガイド凹部は、前記上下方向に延びる溝状とされ、前記ガイド凸部は、前記上下方向に間隔をあけて複数設けられていてもよい。
この構成によれば、バランスウェイトの上下動をより安定させることができる。
【００１４】
本発明の一態様に係る昇降扉構造において、前記上下方向に交差する方向のうち、前記昇降扉の厚さ方向を前後方向とすると、前記ガイド凸部は、前記一方の部材に対する前記前後方向の取付位置を調整可能に前記一方の部材に取り付けられていてもよい。
この構成によれば、バランスウェイトの重さや寸法ばらつき等に応じてガイド凸部の前後方向での取付位置を変更することで、ガイド凹部内でのガイド凸部のがたつきを抑制できる。その結果、バランスウェイトをより安定して上下動させることができる。
【００１５】
本発明の一態様に係る箱体は、上記態様に係る昇降扉構造と、前記昇降扉とともに内部空間を画成するとともに、前記昇降扉の移動に伴い開閉可能な開口部を有する箱部と、を備えている。
この構成によれば、上記態様に係る昇降扉構造を備えているため、スムーズかつ正確な昇降操作が可能な箱体を提供できる。
【００１６】
本発明の一態様に係る局所排気装置は、上記態様に係る箱体を備えている。
この構成によれば、スムーズかつ正確な昇降操作が可能な局所排気装置を提供できる。
【発明の効果】
【００１７】
本発明の一態様によれば、バランスウェイトを安定して上下動させることができる。
【図面の簡単な説明】
【００１８】
【図１】フード付き作業台を左前方から見た斜視図。
【図２】図１のＩＩ−ＩＩ線に沿う断面図。
【図３】第１支柱の上端部を示す分解斜視図。
【図４】図１のＩＶ−ＩＶ線に沿う断面図。
【図５】重さ調整機構を左右方向の外側から見た斜視図。
【図６】錘収容部を右側から見た部分側面図。
【図７】重さ調整機構を左右方向の外側から見た斜視図。
【図８】変形例に係る昇降扉構造の概略構成図。
【図９】変形例に係る昇降扉構造の概略構成図。
【図１０】変形例に係る昇降扉構造の概略構成図。
【発明を実施するための形態】
【００１９】
次に、本発明の実施形態を図面に基づいて説明する。なお、以下の説明において、フード付き作業台１が設置された床面（不図示）の法線方向を上下方向（矢印ＵＰが上方）とし、上下方向に直交する方向をそれぞれ前後方向（矢印ＦＲが前方）及び左右方向（矢印ＬＨが左側）とする。
【００２０】
［フード付き作業台］
図１は、フード付き作業台１を左前方から見た斜視図である。
図１に示すフード付き作業台１は、実験施設の室内に設置される。フード付き作業台１は、理化学実験において、作業空間Ｓ１内の気体を室内に流出させないためのものである。具体的に、フード付き作業台１は、作業台２と、作業台２の天板３に設けられたフード（局所排気装置、箱体）４と、を備えている。
【００２１】
＜フード＞
フード４は、下方に向けて開口する箱型に形成されている。フード４は、天板３上に組み付られることで、天板３とともに作業空間Ｓ１を画成する。なお、フード４は、作業台２に対して着脱可能に組み付けられる構成であっても、作業台２と一体形成された構成であってもよい。作業台２とフード４とを一体に形成した、いわゆるヒュームフード（局所排気装置）を採用することで、作業台２とフード４との間の気密性を確保し易くなる。
【００２２】
フード４は、前方に開口する前方開口部１１Ａ及び後方に開口する後方開口部１１Ｂを有する箱部１２と、前方開口部１１Ａを開閉する前方開閉機構１５Ａ及び後方開口部１１Ｂを開閉する後方開閉機構１５Ｂと、を備えている。
【００２３】
＜箱部＞
箱部１２のうち、側壁部２２，２３及び上壁部２４は、例えば枠材にパネルが組み付けられた構成である。本実施形態において、各壁部２２〜２４の枠材には、金属材料（例えば、ステンレス）等が用いられている。各壁部２２〜２４のパネルには、光透過性を有する材料（例えば、ガラス（強化ガラス）やアクリル樹脂等）が用いられている。
【００２４】
すなわち、本実施形態の箱部１２は、各壁部２２〜２４のパネルを通じて作業空間Ｓ１を視認可能に構成されている。なお、各壁部２２〜２４の構成は、適宜変更が可能である。例えば、各壁部２２〜２４のうち、何れかの壁部では作業空間Ｓ１を視認不能としてもよい。
【００２５】
上壁部２４には、作業空間Ｓ１内の気体を排出する排気口２５が設けられている。排気口２５は、ダクト（不図示）を通じて実験施設の室外に連通している。作業空間Ｓ１は、少なくとも理化学実験中において、ダクト内に設けられたファン（不図示）によって負圧に維持されている。これにより、開口部１１Ａ，１１Ｂを通じて室内の気体が作業空間Ｓ１内に流入するとともに、作業空間Ｓ１内の気体が排気口２５を通じて実験施設の室外に排出される。なお、排気口２５は、上壁部２４に限らず、側壁部２２，２３等に設けてもよい。
【００２６】
箱部１２の前壁部３０は、天板３から上方に立設されるとともに、各側壁部２２，２３及び上壁部２４の前端面に接続されている。具体的に、前壁部３０は、昇降支持部材である一対の支柱（第１支柱３２及び第２支柱３３）と、支柱３２，３３同士の間を架け渡す上梁部３５及び中間梁部３６と、各支柱３２，３３及び各梁部３５，３６で画成された部分に嵌め込まれたパネル３７と、を主に有している。上述した前方開口部１１Ａは、前壁部３０の各支柱３２，３３及び中間梁部３６、並びに天板３によって画成されている。
【００２７】
箱部１２の後壁部３１は、天板３から上方に立設されるとともに、各側壁部２２，２３及び上壁部２４の後端面に接続されている。なお、後壁部３１は、前壁部３０と前後対称に形成されている。すなわち、後壁部３１は、前壁部３０と同様に、一対の支柱３２，３３、上梁部３５、中間梁部３６及びパネル３７を有している。上述した後方開口部１１Ｂは、後壁部３１の各支柱３２，３３及び中間梁部３６、並びに天板３によって画成されている。なお、本実施形態では、箱部１２の前後両方に開口部を有する構成について説明したが、この構成のみに限られない。開口部は、前後方向の少なくとも一方に開口していても、前後方向及び左右方向に開口していてもよい。
【００２８】
続いて、前壁部３０及び後壁部３１の構成について、前壁部３０を例にして説明する。
支柱３２，３３は、天板３の角部のうち、前側かつ左右方向の両側に位置する角部からそれぞれ上方に立設されている。なお、各支柱３２，３３は、左右対称の部材である。そのため、以下では、第１支柱３２について主に説明し、第２支柱３３の説明を適宜省略する。
【００２９】
図２は、図１のＩＩ−ＩＩ線に沿う断面図である。
図２に示すように、第１支柱３２は、支柱本体４１と、支柱本体４１を前方から覆うカバー４２と、を備えている。
支柱本体４１は、例えば押出成形等によって上下方向に延びる筒状に形成されている。具体的に、支柱本体４１は、筒部４５と、筒部４５から前方に延びる第１延出壁４６及び第２延出壁４７と、を主に備えている。
【００３０】
筒部４５は、前後方向を長手方向として上下方向に延びる角筒状に形成されている。筒部４５の後壁部４５ａは、側壁部２２の前端面に組み付けられている。
第１延出壁４６は、筒部４５の前壁部４５ｂにおいて、左右方向の中央部に連設されている。第１延出壁４６は、左右方向の内側（フード４における左右方向の中心に向かう方向）に屈曲しながら、前方に延在している。筒部４５の前壁部４５ｂと第１延出壁４６とで画成された空間は、左右方向の内側に向けて開放されたガイド空間Ｓ２を構成している。
第２延出壁４７は、筒部４５における前壁部４５ｂ及び外壁部４５ｃとの境界部分から前方に延在している。第２延出壁４７は、外壁部４５ｃに滑らかに連なっている。
【００３１】
図３は、第１支柱３２の上端部を示す分解斜視図である。
図３に示すように、筒部４５において、前壁部４５ｂの上端部には、切欠き部４８が形成されている。切欠き部４８は、前壁部４５ｂを前後方向に貫通するとともに、前壁部４５ｂの上端縁で開放されている。すなわち、筒部４５内とガイド空間Ｓ２とは、切欠き部４８を通して連通している。なお、第１支柱３２の上端部には、支柱本体４１及びカバー４２の上端開口部を閉塞する支柱キャップ４９（図４参照）が装着されている。
【００３２】
図２に示すように、カバー４２は、上下方向から見た平面視で後方に向けて開口するＣ字状に形成されている。カバー４２は、筒部４５の前壁部４５ｂ及び第１延出壁４６を前方から覆うように支柱本体４１に組み付けられている。カバー４２における左右方向の外側に位置する外壁部４２ａは、第２延出壁４７の前端部に突き当たっている。カバー４２の外壁部４２ａ、第２延出壁４７及び筒部４５の外壁部４５ｃは、滑らかに連なっている。
【００３３】
一方、カバー４２における左右方向の内側に位置する内壁部４２ｂは、筒部４５における左右方向の内側に位置する内壁部４５ｄに対して前後方向に隙間Ｓ３をあけて対向している。なお、筒部４５の前壁部４５ｂとカバー４２とで画成された空間は、例えば配線等の配索スペースとして利用できる。
【００３４】
図１に示すように、各梁部３５，３６は、上下方向に離間した状態で、左右方向に沿って互いに平行に延在している。上梁部３５は、支柱３２，３３（支柱本体４１）の上端部同士を架け渡している。中間梁部３６は、支柱３２，３３（支柱本体４１）における上下方向の中間部同士を架け渡している。
【００３５】
パネル３７は、光透過性を有する材料により形成されている。パネル３７は、各支柱３２，３３及び各梁部３５，３６で画成された枠部分に嵌め込まれている。本実施形態において、箱部１２の各壁部２２〜２４，３０，３１により囲まれた空間は、上述した作業空間Ｓ１を構成している。
【００３６】
＜開閉機構＞
前方開閉機構１５Ａは、前壁部３０の支柱３２，３３に支持された状態で、箱部１２の前方開口部１１Ａを開閉する。後方開閉機構１５Ｂは、後壁部３１の支柱３２，３３に支持された状態で、後方開口部１１Ｂを開閉する。なお、各開閉機構１５Ａ，１５Ｂは、前後対称に形成されている。そのため、以下の説明では前方開閉機構１５Ａを例にして説明する。
【００３７】
図４は、図１のＩＶ−ＩＶ線に沿う断面図である。
図４に示すように、前方開閉機構１５Ａは、滑車（線材支持部材）６１と、吊架線材６２と、重さ調整機構６３と、昇降扉６４と、を備えている。なお、前壁部３０の支柱３２，３３及び前方開閉機構１５Ａによって本実施形態の昇降扉構造が構成されている。
【００３８】
滑車６１は、例えば各支柱３２，３３それぞれの内側においてブラケット（不図示）を介して各支柱３２，３３に取り付けられている。滑車６１は、左右方向に沿う軸線回りに回転可能に構成されている。
【００３９】
吊架線材６２は、例えばステンレス製のワイヤロープである。吊架線材６２は、滑車６１に上方から掛け回されている。すなわち、吊架線材６２は、延在方向の中途部分が滑車６１で折り返されることで、第１端部及び第２端部が下方に垂れ下がった状態で滑車６１に掛け回されている。吊架線材６２の第１端部は、筒部４５内に配置されている。一方、吊架線材６２の第２端部は、支柱本体４１の切欠き部４８（図３参照）を通して上述したガイド空間Ｓ２に進入している。
【００４０】
なお、本実施形態では、吊架線材６２としてワイヤロープを用いた場合について説明するが、この構成のみに限られない。吊架線材６２は、ベルトや歯付ベルトであってもよく、ローラチェーンに代表されるチェーン等であってもよい。また、本実施形態では、線材支持部材として滑車を用いる場合について説明するが、この構成のみに限られない。線材支持部材は、プーリやスプロケット等であってもよい。プーリは、吊架線材６２がワイヤやベルト、歯付ベルト等の場合に好適に用いられる。スプロケットは、吊架線材６２がローラチェーン等の場合に好適に用いられる。
【００４１】
図１に示すように、昇降扉６４は、上述したパネル３７よりも前方において、各支柱３２，３３間を架け渡している。昇降扉６４は、各支柱３２，３３にスライド昇降可能に支持されている。昇降扉６４は、スライド昇降に伴い、前方開口部１１Ａを開閉する。具体的に、昇降扉６４は、扉本体７１と、扉本体７１の下端部に取り付けられた下部カバー７２と、扉本体７１の上端部に取り付けられた上部カバー７３と、を主に有している。
【００４２】
扉本体７１は、光透過性を有する材料により板状に形成されている。扉本体７１の左側端部は、第１支柱３２の隙間Ｓ３内に配置されている（図２等参照）。扉本体７１の右側端部は、第２支柱３３の隙間Ｓ３内に配置されている。なお、扉本体７１は、隙間Ｓ３内の上部において、ガイドレール７４（図３等参照）を介して支柱３２，３３に支持されていることが好ましい。
【００４３】
下部カバー７２は、左右方向に延在する長尺部材である。下部カバー７２は、板金加工等によって上下方向に沿う縦断面視で上方に開口するＵ字状に形成されている。下部カバー７２は、扉本体７１の下端部を下方及び前後両側から取り囲むように、扉本体７１に装着されている。
【００４４】
図４に示すように、下部カバー７２における左右方向の両端部は、接続部材７７を介して各支柱３２，３３内に配置された吊架線材６２の第２端部にそれぞれ接続されている。接続部材７７は、上述したガイド空間Ｓ２内において、吊架線材６２の第２端部に接続されている。接続部材７７は、隙間Ｓ３（図２参照）内において、ガイドレール７４よりも下方に位置する部分を通して下部カバー７２に連結されている。
【００４５】
接続部材７７には、ガイドローラ７８が設けられている。ガイドローラ７８は、前後方向に沿う軸線回りに回転可能に接続部材７７に支持されている。ガイドローラ７８は、上下方向に間隔をあけて複数設けられていることが好ましい。ガイドローラ７８は、上述した前壁部４５ｂに形成されたローラ収容部８１内に収容されている。ガイドローラ７８は、滑車６１に沿った吊架線材６２の走行により接続部材７７がガイド空間Ｓ２を上下昇降する際、ローラ収容部８１内を移動することで、昇降扉６４のスライド昇降を案内する。
【００４６】
ローラ収容部８１の内面形状は、ガイドローラ７８の外面形状に倣って形成されている。具体的に、ローラ収容部８１は、前壁部４５ｂに対して後方に窪んだ凹部８１ａと、凹部８１ａの左右両端縁から前方に突出した一対の突出壁部８１ｂと、によって画成されている。
【００４７】
凹部８１ａは、後方に向かうに従い左右方向の幅が漸次縮小している。
突出壁部８１ｂは、前方に向かうに従い各突出壁部８１ｂ間の間隔が縮小するように延在している。ローラ収容部８１の前端縁において、各突出壁部８１ｂ間の間隔は、ガイドローラ７８の最大外径よりも狭くなっている。これにより、ローラ収容部８１に対するガイドローラ７８の前方への移動が規制されている。なお、ガイドローラ７８は接続部材７７に対して前方や側方に設けられていてもよい。
【００４８】
図１に示すように、上部カバー７３は、左右方向に延在する長尺部材である。上部カバー７３は、板金加工等によって上下方向に沿う縦断面視で下方に開口するＵ字状に形成されている。上部カバー７３は、扉本体７１の上端部を上方及び前後両側から取り囲むように、扉本体７１に装着されている。
【００４９】
＜重さ調整機構＞
図４に示すように、重さ調整機構６３は、支柱本体４１の筒部４５内において、吊架線材６２の第１端部に接続されている。重さ調整機構６３は、昇降扉６４と釣り合うように重さが設定されていることが好ましい。重さ調整機構６３は、滑車６１に沿った吊架線材６２の走行により筒部４５内を上下昇降可能に構成されている。
【００５０】
図２、図３に示すように、重さ調整機構６３は、錘収容部１００と、錘１０１と、ローラユニット１０２と、を主に備えている。なお、錘収容部１００及び錘１０１によってバランスウェイトが構成されている。
【００５１】
図５は、重さ調整機構６３を左右方向の外側から見た斜視図である。
図５に示すように、錘収容部１００は、前後方向を長手方向とする平面視長方形状の箱型に形成されている。錘収容部１００には、錘挿入口１１０が形成されている。錘挿入口１１０は、錘収容部１００において上方から左右方向の外側に至る部分が開放されて形成されている。錘収容部１００の頂壁部１１１には、吊架線材６２が接続されている。本実施形態において、吊架線材６２は、錘収容部１００の左右方向及び前後方向の中央部において、頂壁部１１１に接続されている。
【００５２】
錘収容部１００において、前壁部１１２、後壁部１１３及び底壁部１１４には、錘保持片１１５が形成されている。錘保持片１１５は、前壁部１１２、後壁部１１３及び底壁部１１４における左右方向の外側端縁から錘挿入口１１０に臨んでいる。なお、錘保持片１１５は、前壁部１１２、後壁部１１３及び底壁部１１４の少なくとも何れかに形成されていればよい。
【００５３】
前壁部１１２及び後壁部１１３には、折り曲げ片１２０が形成されている。折り曲げ片１２０は、前壁部１１２及び後壁部１１３において、上下一組のスリット１２１により区画されて片持ち状に延在している。折り曲げ片１２０は、錘収容部１００内に収容される錘１０１が少ない場合に、錘挿入口１１０に向けて折り曲げることで、錘１０１を保持する。本実施形態において、折り曲げ片１２０は、前壁部１１２及び後壁部１１３それぞれにおいて、上下方向に間隔をあけて複数形成されている。
【００５４】
錘１０１は、左右方向を厚さ方向とする板状に形成されている。錘１０１は、上述した錘挿入口１１０を通して錘収容部１００内に挿入される。錘１０１は、錘収容部１００内において、左右方向に重ねられた状態で複数収容される。すなわち、重さ調整機構６３は、錘収容部１００内に収容する錘１０１の枚数に応じて重さを調整可能とされている。
【００５５】
図２に示すように、ローラユニット１０２は、複数のガイドローラ（ガイド部、ガイド凸部）１３０を有している。各ガイドローラ１３０は、錘収容部１００における左右方向の内側を向く内側壁１３３に、左右方向の内側に突出した状態で設けられている。具体的に、ガイドローラ１３０は、内側壁１３３に形成された軸支持孔１３３ａに支持された回転軸（突出部）１４１と、回転軸１４１に外挿されたローラ本体（張出部）１４３と、を備えている。
【００５６】
回転軸１４１は、軸支持孔１３３ａ内に左右方向の内側から挿入されたボルト１４４（図３参照）と、内側壁１３３に対して左右方向の外側に配置され、ボルト１４４が螺着されたナット１４５と、を有している。
ボルト１４４は、内側壁１３３に対して左右方向の内側に突出している。ボルト１４４には、カラー１４２が外挿されている。
【００５７】
ローラ本体１４３は、カラー１４２に外嵌されている。これにより、ローラ本体１４３は、カラー１４２を介して回転軸１４１（ボルト１４４）に回転可能に支持されている。なお、本実施形態において、ローラ本体１４３の外周面は、ローラ幅方向（左右方向）の中心から離間するに従いローラ外径が漸次縮小する湾曲面をなしている。
【００５８】
図３に示すように、上述したガイドローラ１３０は、上下方向に直線状に並んでローラ列（第１ローラ列１３１及び第２ローラ列１３２）を構成している。本実施形態において、ローラ列１３１，１３２は、前後方向に間隔をあけて２列設けられている。本実施形態において、各ローラ列１３１，１３２における各ガイドローラ１３０の配列パターンは、互いに同じである。すなわち、各ローラ列１３１，１３２において、対応するガイドローラ１３０同士は、上下方向で同じ位置に配置されている。具体的に、各ローラ列１３１，１３２は、内側壁１３３の上部にガイドローラ１３０が１つ配置され、内側壁１３３の下部にガイドローラ１３０が１つ配置されて構成されている。但し、各ローラ列１３１，１３２において、各ガイドローラ１３０の配列パターンは、適宜変更が可能である。
【００５９】
図２に示すように、上述したローラユニット１０２のローラ列１３１，１３２は、筒部４５の内壁部４５ｄに形成されたローラガイド（第１ローラガイド１５０及び第２ローラガイド１５１）内に各別に収容されている。具体的に、内壁部４５ｄには、左右方向の外側に膨出する区画壁１５５が形成されている。区画壁１５５は、左右方向の内側に向けて開口するＣ字状に形成されている。区画壁１５５において、前方に位置する前方延在部１５５ａ及び後方に位置する後方延在部１５５ｂは、それぞれ左右方向に延びる直線状に形成されている。
【００６０】
内壁部４５ｄにおいて、区画壁１５５に対して前方に位置する部分には、前側受部１５６が形成されている。前側受部１５６の内面形状は、ガイドローラ１３０の外面形状に倣って形成されている。具体的に、前側受部１５６は、左右方向の外側に向かうに従い前方に向けて延びる基端壁部１５６ａと、基端壁部１５６ａから左右方向の外側に向かうに従い後方に向けて延びる先端壁部（係合部）１５６ｂと、を有している。
【００６１】
内壁部４５ｄにおいて、区画壁１５５に対して後方に位置する部分には、後側受部１５７が形成されている。後側受部１５７の内面形状は、ガイドローラ１３０の外面形状に倣って形成されている。具体的に、後側受部１５７は、左右方向の外側に向かうに従い後方に向けて延びる基端壁部１５７ａと、基端壁部１５７ａから左右方向の外側に向かうに従い前方に向けて延びる先端壁部（係合部）１５７ｂと、を有している。
【００６２】
本実施形態において、内壁部４５ｄ、前方延在部１５５ａ及び前側受部１５６により画成された部分は、上述した第１ローラガイド（ガイド部、ガイド凹部）１５０を構成している。第１ローラガイド１５０は、第１ローラ列１３１の各ガイドローラ１３０を移動可能に収容する。第１ローラガイド１５０は、上下方向に沿って延びる溝状に形成されている。第１ローラガイド１５０における左右方向の内側端縁において、前方延在部１５５ａ及び前側受部１５６間の間隔は、ガイドローラ１３０の最大外径部よりも広くなっている。
【００６３】
内壁部４５ｄ、後方延在部１５５ｂ及び後側受部１５７により画成された部分は、第２ローラガイド（ガイド凹部）１５１を構成している。第２ローラガイド１５１は、ローラ列１３２の各ガイドローラ１３０を移動可能に収容する。第２ローラガイド１５１は、第１ローラガイド１５０と平行に延在している。第２ローラガイド１５１における左右方向の内側端縁において、後方延在部１５５ｂ及び後側受部１５７間の間隔は、ガイドローラ１３０の最大外径部よりも広くなっている。
【００６４】
本実施形態において、第１ローラ列１３１の各ガイドローラ１３０は、前端部において前側受部１５６に左右方向で係合している。第２ローラ列１３２の各ガイドローラ１３０は、後端部において後側受部１５７に左右方向で係合している。これにより、ローラガイド１５０，１５１に対するガイドローラ１３０の左右方向の移動が規制され、筒部４５内で重さ調整機構６３が安定して支持される。
【００６５】
図６は、錘収容部１０１を右側から見た部分側面図である。
図６に示すように、各ローラ列１３１，１３２を構成するガイドローラ１３０のうち、上方に位置する上ローラ１３０ａは、内側壁１３３に対する前後方向及び上下方向の取付位置を変更可能に構成されている。具体的に、内側壁１３３の上部には、各ローラ列１３１，１３２それぞれにおいて、上ローラ１３０ａに対応する複数の軸支持孔１３３ａ１〜１３３ａ３が上下方向に並んで形成されている。各軸支持孔１３３ａ１〜１３３ａ３は、例えば下方に位置するものほど前後方向の外側（重さ調整機構６３の中心から離間する方向）に位置している。すなわち、第１ローラ列１３１の上ローラ１３０ａに対応する軸支持孔１３３ａ１〜１３３ａ３は、下方に位置するものほど前方に位置している。一方、第２ローラ列１３２の上ローラ１３０ａに対応する軸支持孔１３３ａ１〜１３３ａ３は、下方に位置するものほど後方に位置している。各ローラ列１３１，１３２において、対応する軸支持孔１３３ａ１〜１３３ａ３同士は、上下方向で同じ位置に配置されている。したがって、各ローラ列１３１，１３２において、対応する軸支持孔１３３ａ１〜１３３ａ３同士の前後方向の間隔は、下方に位置するものほど広くなっている。
【００６６】
本実施形態において、上ローラ１３０ａは、各軸支持孔１３３ａ１〜１３３ａ３のうち、最下部に位置する軸支持孔１３３ａ３に取り付けられている。すなわち、各ローラ列１３１，１３２の上ローラ１３０ａ同士の前後方向の間隔は最大になっている。但し、上ローラ１３０ａは、各軸支持孔１３３ａ１〜１３３ａ３の中から任意の軸支持孔１３３ａ１〜１３３ａ３を選択して取り付けることが可能である。なお、軸支持孔１３３ａの数や位置は、適宜変更が可能である。また、ローラ列１３１，１３２を構成するガイドローラ１３０のうち、下方に位置する下ローラ１３０ｂについても、上ローラ１３０ａと同様に前後方向及び上下方向の取付位置を変更可能に構成されていてもよい。
【００６７】
本実施形態のフード付き作業台１において、重さ調整機構６３と昇降扉６４との釣り合いは、例えば錘収容部１００内に収容する錘１０１の枚数で調整できる。すなわち、昇降扉６４の重さが重い場合には、例えば図５に示すように錘１０１の枚数を多くする。この場合には、内側壁１３３と錘保持片１１５との間に錘１０１が保持される。
一方、昇降扉６４の重さが軽い場合には、例えば図７に示すように錘１０１の枚数を減らす。この場合には、折り曲げ片１２０を折り曲げることで、折り曲げ片１２０と内側壁１３３との間に錘１０１が保持される。
【００６８】
次に、フード付き作業台１を使用して実験を行う場合について説明する。以下の説明では、前方開口部１１Ａを通じて実験を行う場合について説明する。
まず下部カバー７２を把持して昇降扉６４を所定量上昇させ、前方開口部１１Ａの一部を開放させる。昇降扉６４を上昇させると、接続部材７７がガイド空間Ｓ２内を上方に移動することで、吊架線材６２が走行する。吊架線材６２の走行することで、重さ調整機構６３が筒部４５内を下方に移動する。この際、昇降扉６４と重さ調整機構６３との釣り合いが図れていることで、昇降扉６４のスムーズかつ正確な昇降操作が可能になる。
【００６９】
その後、前方開口部１１Ａを通じて作業空間Ｓ１に手を差し入れることで、作業空間Ｓ１での実験が可能になる。この際、作業空間Ｓ１内の気体が排気口２５を通じて排出されるとともに、前方開口部１１Ａを通じて作業空間Ｓ１に空気が供給される。これにより、作業空間Ｓ１内の気体が室内へ流出するのを抑制した上で、実験を行うことができる。
【００７０】
ここで、本実施形態では、重さ調整機構６３のガイドローラ１３０を収容して、重さ調整機構６３の上下動を案内するローラガイド１５０，１５１が筒部４５に形成された構成とした。
この構成によれば、重さ調整機構６３が筒部４５内を上下動する過程において、ガイドローラ１３０が各ローラガイド１５０，１５１内を上下動する。これにより、重さ調整機構６３が筒部４５内を上下動する際の重さ調整機構６３のふらつき等を抑制し、重さ調整機構６３を安定して上下動させることができる。その結果、重さ調整機構６３と筒部４５との予期しない接触を抑制し、異音の発生や重さ調整機構６３、支柱３２，３３の損傷等を抑制できる。
【００７１】
本実施形態では、前側受部１５６の先端壁部１５６ｂ、及び後側受部１５７の先端壁部１５７ｂが、ガイドローラ１３０の外周面に対して左右方向の外側から係合可能とされた構成とした。
この構成によれば、ローラガイド１５０，１５１に対するガイドローラ１３０の左右方向の外側への移動を規制できる。これにより、ガイドローラ１３０がローラガイド１５０，１５１から抜けるのを抑制でき、重さ調整機構６３の上下動を常に安定させることができる。
【００７２】
本実施形態では、ガイドローラ１３０を回転可能に構成した。
この構成によれば、ガイドローラ１３０がローラガイド１５０，１５１の内面に接触する際に、ガイドローラ１３０が回転することで、ガイドローラ１３０とローラガイド１５０，１５１の内面との接触に伴う抵抗を軽減できる。これにより、重さ調整機構６３をスムーズに上下動させることができる。
【００７３】
本実施形態では、重さ調整機構６３が支柱３２，３３の筒部４５内に収容された構成とした。
この構成によれば、重さ調整機構６３の周囲が筒部４５によって取り囲まれるので、重さ調整機構６３がフード付き作業台１の外部に露出するのを抑制できる。これにより、フード付き作業台１の美観を向上させることができる。
【００７４】
本実施形態では、ガイドローラ１３０（ローラガイド１５０，１５１）が錘１０１に対して左右方向の内側（昇降扉６４側）に配置されている構成とした。
この構成によれば、ガイドローラ１３０とローラガイド１５０，１５１の内面との接触により仮に異音が発生したとしても、異音が実験施設の室内に伝わるのを抑制できる。
【００７５】
本実施形態では、ガイドローラ１３０（上ローラ１３０ａ）が、内側壁１３３に対する前後方向の取付位置を変更可能に構成されている。
この構成によれば、錘１０１の重さや重さ調整機構６３の寸法ばらつき等に応じて上ローラ１３０ａの前後方向での取付位置を変更することで、ローラガイド１５０内での上ローラ１３０ａのがたつきを抑制できる。その結果、重さ調整機構６３をより安定して上下動させることができる。
【００７６】
本実施形態では、ガイドローラ１３０が上下方向に間隔をあけて複数配列された構成とした。
この構成によれば、重さ調整機構６３の上下動をより安定させることができる。特に、重さ調整機構６３において、吊架線材６２の接続位置と、重さ調整機構６３の重心と、が左右方向にずれている場合（例えば、図７の状態）であっても、重さ調整機構６３が筒部４５内で傾くのを抑制できる。
【００７７】
本実施形態では、フード付き作業台１（フード４）が上述した開閉機構１５Ａ，１５Ｂを備えているため、スムーズかつ正確な昇降操作が可能なフード付き作業台１（フード４）を提供できる。
【００７８】
以上、本発明の好ましい実施形態を説明したが、本発明はこれら実施形態に限定されることはない。本発明の趣旨を逸脱しない範囲で、構成の付加、省略、置換、及びその他の変更が可能である。本発明は上述した説明によって限定されることはなく、添付の特許請求の範囲によってのみ限定される。
例えば、上述した実施形態では、本発明に係る昇降扉構造をフード付き作業台１に採用する構成について説明したが、この構成のみに限られない。例えば、フード付き作業台１以外の什器（例えば、キャビネット等）の扉や、エレベータの上下開閉式ドア、冷凍室や冷蔵庫等に設けられるスライド昇降式の防熱扉等に本発明に係る昇降扉を採用することが可能である。
【００７９】
上述した実施形態では、箱部１２の前壁部３０及び後壁部３１に（開閉機構１５Ａ，１５Ｂ）を設ける構成について説明したが、この構成のみに限られない。箱部１２の各壁部のうち、少なくとも一の壁部に開閉機構が設けられていればよい。
上述した実施形態では、支柱３２，３３内に重さ調整機構６３を収納する構成について説明したが、この構成のみに限られない。箱部１２を構成する各壁部の内部に重さ調整機構６３を収納してもよい。但し、本実施形態のように重さ調整機構６３を支柱３２，３３内に収納することで、前壁部３０以外の周壁部に開閉機構を設けたり、各壁部に光透過性を有するパネルを用いたりすることができる点で優位性がある。
【００８０】
上述した実施形態では、昇降扉６４と重さ調整機構６３との釣り合いを図るために、錘１０１の枚数を調整する構成について説明したが、この構成のみに限られない。例えば、重さの異なる錘１０１を付け替えてもよい。
上述した実施形態では、昇降扉６４に対して左右両側に重さ調整機構６３を設ける構成について説明したが、この構成のみに限られない。重さ調整機構６３は、昇降扉６４に対して左右方向の任意の位置に設けることが可能である。
【００８１】
上述した実施形態では、扉本体７１自体が隙間Ｓ３内に配置される構成について説明したが、この構成のみに限られない。昇降扉６４の少なくとも一部（例えば、枠体等）が隙間Ｓ３内に配置される構成でもよい。
【００８２】
上述した実施形態では、昇降支持部材が筒状である構成について説明したが、この構成のみに限られない。すなわち、重さ調整機構６３は、外部に露出していてもよい。
上述した実施形態では、錘１０１に対して左右方向の内側にガイドローラ１３０（ローラガイド１５０，１５１）が配置される構成について説明したが、この構成のみに限られない。すなわち、錘１０１に対して任意の方向にガイドローラ１３０を設けることが可能である。
【００８３】
上述した実施形態では、錘収容部１００にガイド凸部であるガイドローラ１３０が設けられ、筒部４５にガイド凹部であるローラガイド１５０，１５１が設けられた構成について説明したが、この構成のみに限られない。すなわち、錘収容部１００にガイド凹部が設けられ、筒部４５にガイド凸部が設けられていてもよい。
上述した実施形態では、ガイド凸部としてガイドローラ１３０を用いる構成について説明したが、この構成のみに限られない。例えば、図８に示すように、ガイド凸部２００がガイド凹部２０１内に収容される構成であれば、ガイド凸部２００が回転可能である必要はない。また、図９に示すように、複数組のガイド凸部２００及びガイド凹部２０１同士が互いに異なる向きに取り付けられていてもよい。
また、図１０に示すように、ガイド凹部２０１を蟻溝状に形成してもよい。この場合、ガイド凹部２０１を補形する形状にガイド凸部２００を形成することで、ガイド凸部２００がガイド凹部２０１から抜けるのを抑制できる。
【００８４】
上述した実施形態では、天板３にフード４が設置された構成について説明したが、この構成のみに限られない。例えば床面にフード４が設置される構成であってもよい。
上述した実施形態では、複数の軸支持孔１３３ａ１〜１３３ａ３を設けることで、上ローラ１３０ａの前後位置を変更する構成について説明したが、この構成のみに限られない。例えば上ローラ１３０ａを前後方向にスライドさせる等して、上ローラ１３０ａの前後位置を変更する構成であってもよい。
【００８５】
その他、本発明の趣旨を逸脱しない範囲で、上述した実施形態における構成要素を周知の構成要素に置き換えることは適宜可能であり、また、上述した各変形例を適宜組み合わせてもよい。
【符号の説明】
【００８６】
１…フード付き作業台
４…フード（局所排気装置、箱体）
１１Ａ…前方開口部（開口部）
１１Ｂ…後方開口部（開口部）
１２…箱部
３２…第１支柱（昇降支持部材）
３３…第２支柱（昇降支持部材）
６１…滑車（線材支持部材）
６２…吊架線材
１００…錘収容部（バランスウェイト）
１０１…錘（バランスウェイト）
１３０…ガイドローラ（ガイド部、ガイド凸部）
１４１…回転軸（突出部）
１４３…ローラ本体（張出部）
１５０…第１ローラガイド（ガイド部、ガイド凹部）
１５１…第２ローラガイド（ガイド部、ガイド凹部）
１５６ｂ…先端壁部（係合部）
１５７ｂ…先端壁部（係合部）
２００…ガイド凸部
２０１…ガイド凹部
【図１】
2019166435.tif 000003
【図２】
2019166435.tif 000004
【図３】
2019166435.tif 000005
【図４】
2019166435.tif 000006
【図５】
2019166435.tif 000007
【図６】
2019166435.tif 000008
【図７】
2019166435.tif 000009
【図８】
2019166435.tif 000010
【図９】
2019166435.tif 000011
【図１０】
2019166435.tif 000012